(57)【要約】      （修正有）【課題】フードを着用したままでマスク紐の掛け外しが容易な掛け止体、及びこの掛け止体を備えたフードを提供する。【解決手段】合成樹脂製の円盤状を有する上板部材１とこれと同径の合成樹脂製の円盤状を有する下板部材２とを備え、上板部材と下板部材とを重合して、下板部材の中央に突出部５を形成し、且つ、突出部の周囲で上板部材と下板部材を熱圧着した周面部を形成する。本掛け止体Ｐをフード生地に取り付けると外方向に反り返るように立体的に配置されるので、マスク紐の掛け外しが行い易くなる。また、下板部材の中央に突出部を形成したことによって、中心位置を把握できるので、フードの縫着面に対する位置決めを容易とすることができる。【選択図】図６
0003184951.tif 000002
【実用新案登録請求の範囲】
【請求項１】
合成樹脂製の円盤状を有する上板部材（１）とこれと同径の合成樹脂製の円盤状を有する下板部材（２）とを備え、前記上板部材（１）と下板部材（２）とを重合して、前記下板部材（２）の中央に突出部（５）を形成し、且つ、該突出部（５）の周囲で前記上板部材（１）と下板部材（２）を熱圧着した周面部（２０）を形成したことを特徴とする掛け止体。
【請求項２】
上板部材（１）の中央に微小凹凸面（１Ａ）を形成したことを特徴とする請求項１記載の掛け止体。
【請求項３】
上板部材（１）の中央に、底面視円形輪郭の中心に向かって徐々に深くなる凹部（３）を形成したことを特徴とする請求項１又は２記載の掛け止体。
【請求項４】
凹部（３）の周縁に隆起部（３０）を形成したことを特徴とする請求項３記載の掛け止体。
【請求項５】
装着者の頭頂部、後頭部及び両耳部を覆うフード生地を有し、マスクを掛けるための掛け止体を備えたフードにおいて、
上記請求項１から４のいずれか一項に記載の掛け止体を備え、該掛け止体の突出部（５）の中央をフード生地の両耳部（Ｏ）近傍に取着して、該両耳部と掛け止体の下板部材（２）の周面部との間に間隙（８）を設けたことを特徴とするフード。
【請求項６】
フード生地と掛け止体（Ｐ）の取付構造が、当該フード生地と掛け止体（Ｐ）の突出部（５）との間に配置される粘着性の仮接着手段と、当該フード生地と掛け止体（Ｐ）とを貫通して縫合する縫合糸（９）により構成されることを特徴とする請求項５記載のフード。
【考案の詳細な説明】
【技術分野】
【０００１】
本考案は、食品工場や製薬工場など、製造ラインにおいて特に塵芥に注意を払う必要がある場所、あるいは半導体製造ラインなどのように塵の飛散を回避する必要がある場所において使用する、毛髪や埃の混入を防止するためのマスク紐の掛け止体、及びこれを備えたフードに関するものである。
【背景技術】
【０００２】
従来、食品工場や製薬工場の製造ラインでは、作業者が落とす毛髪や、あるいは塵などは衛生上の弊害が大きいので、作業者の頭を完全に覆う形態のフードが利用されている。
これらのフードは毛髪や埃の混入を防止するためのものであるから、単に被ればよいのではなく、額や襟足を被包する必要がある。
【０００３】
上記従来のフードは咳、唾の飛散を防止するために同時にマスクを使用することが多い。そこで、フードとマスクを同時に頭部に装着するには、先ずマスクを両耳に掛け、その上からフードを被っていた。しかし、休憩時には会話や喫煙のためにフードを被ったままでマスクだけを外したり、マスクを顎の下までずらせることが多い。この場合には、マスクを再度装着するときにフードがずれてしまい、マスクの着脱によって毛髪がはみ出したり、フードと額との間に隙間が出来て埃が入り易くなったりする虞がある。
【０００４】
このため、フードを被った状態で、マスクの着脱を容易とするものが案出されており、例えば、着用者の頭部を覆うとともに、顔部を出すための開口部が形成された布製のフードであって、着用者の後頭部を覆う後頭部用布の側縁と、着用者の額部を覆うための額部用布の側縁とを縫い付けるとともに、その縫い付け部分で一部を縫い付けないことにより挿通部を形成し、当該挿通部から眼鏡のつるを挿入させて前記着用者の耳に掛けられるようにし、前記額部用布の側縁に前記後頭部用布の側縁を所定の幅だけ重ね合わせた状態で縫い付けることで、眼鏡のつるを内部に挿入させてフード着用者の耳に掛けられるようにするものが公知である（例えば、特許文献１参照。）。
【０００５】
また、着用者の頭部を覆い、該着用者の少なくとも目を露出させる顔面開口部を備えたフード本体と、前記フード本体の前記顔面開口部の左右両側に形成され、前記フード本体の表面側から裏面側に通じる挿通部と、第１開口部と第２開口部を有する筒形状をなし、前記フード本体の裏面側に配置され、且つ、前記第１開口部が前記挿通部に接続され、該挿通部より挿入される眼鏡のつるを前記フード本体の裏面側に導く筒状体とを有し、前記第２開口部の開口面積を、前記第１開口部の開口面積以上とし、フード１を着用した着用者Ｐがマスク１４の紐１５を引っ掛ける部分を形成したマスク掛けを備えたフードが公知である（例えば、特許文献２参照。）。
【先行技術文献】
【特許文献】
【０００６】
【特許文献１】特開２００２−１６１４２４号公報
【特許文献２】特開２０１１−１０７４５１１号公報
【考案の概要】
【考案が解決しようとする課題】
【０００７】
上記特許文献１に係るフードは、円板部材を帯状布の長手方向に移動させることができるマスク掛け部を有している。当該マスク掛け部は、帯状布を円板部材に形成した一対のスリットに挿通させた状態で、この帯状布の両端を後頭部用布に縫い付けてなるため、製造時の作業が複雑であり、また調節可能としているものの、逆に不用意に位置ずれを生じる虞があり、問題であった。
【０００８】
また、特許文献２に係るフードにおいて備えるマスク掛けは、プラスチック或いは適宜な硬度を有する布により円板状に形成され、側部用布片の外側面であってフードを着用した着用者の耳の近くとなる位置に取り付けられるものであり、フードの側面に縫着する点で製造容易であり、不用意に位置ずれを生じず、使い勝手が良いようにも考えられる。
しかしながら、円板状に形成されているため、製造時における位置決め箇所を把握し難く、位置決めを行って縫着する一連の作業には労力を要するものであった。また、円形平板状を有するため、マスク紐を掛ける隙間が非常に小さく、非常に掛け難いものであった。
【０００９】
更に、これらのフードは、使用中や洗濯等によって埃等が付着するため、付着した埃等を除去するための清掃が行われる。この清掃方法として、粘着テープの粘着面を外側に向けてロール状に巻取って構成した公知のローラー掃除具や粘着テープそのもの等によって、埃を接着除去することが行われている。
ところが、上記特許文献２に係るマスク掛けによれば、粘着テープの強力な粘着力によってその粘着面からマスク掛けが剥がし難く、清掃作業が円滑に行えれば更に好ましいと考えられる。
【００１０】
本考案は以上の事情に鑑みてなされたものであり、製造時における位置決め箇所の把握を容易として縫着作業を省力化でき、マスク紐を掛け易い掛け止体と、これを備えたフードの提供を、考案が解決しようとする課題とする。
【００１１】
また本考案は、上記考案を前提として、更に、粘着テープを用いた清掃作業にも適した掛け止体と、これを備えたフードの提供を、考案が解決しようとする課題とする。
【課題を解決するための手段】
【００１２】
本考案は、合成樹脂製の円盤状を有する上板部材（１）とこれと同径の合成樹脂製の円盤状を有する下板部材（２）とを備え、前記上板部材（１）と下板部材（２）とを重合して、前記下板部材（２）の中央に突出部（５）を形成し、且つ、該突出部（５）の周縁に、前記上板部材（１）と下板部材（２）を熱圧着した周面部（２０）を形成したことを特徴とする掛け止体を、課題を解決する手段とする。
【００１３】
また、本考案は上記考案の構成を前提として、上板部材（１）の中央に微小凹凸面を形成したことを特徴とする掛け止体を、課題を解決するための手段とする。ここで、微小凹凸面とは概ね１ｍｍ未満四方の矩形を形成する格子形状等となる凹凸面から梨地に至る程度の凹凸を有する形状であり、指先でザラザラした感覚を想起し得る程度のものをいう。
【００１４】
また、本考案は、上記いずれかの考案の構成を前提として、上板部材（１）の中央に、底面視円形輪郭の中心に向かって徐々に深くなる凹部（３）を形成したことを特徴とする掛け止体を、課題を解決するための手段とする。
【００１５】
また、本考案は、上記いずれかの考案を前提として、凹部（３）の周縁に隆起部（３０）を形成したことを特徴とする掛け止体を、課題を解決するための手段とする。
【００１６】
装着者の頭頂部（Ｇ）、後頭部（Ｈ）及び両耳部（Ｏ）を覆うフード生地を有し、マスク（Ｒ）を掛けるための掛け止体を有するフードにおいて、上記いずれかに記載の掛け止体を備え、該掛け止体の突出部（５）の中央をフード生地の両耳部（Ｏ）近傍に取着して、該両耳部と掛け止体の下板部材（２）の周面部（２０）との間に間隙（８）を設けたことを特徴とするフードを、課題を解決するための手段とする。
【００１７】
また、本考案は、上記フードについて、更にフード生地と掛け止体の取付構造が、当該フード生地と掛け止体の突出部（５）との間に配置される粘着性の仮接着手段と、当該フード生地と掛け止体とを貫通して縫合する縫合糸（９）により構成されることを特徴とするフードを、課題を解決するための手段とする。
【考案の効果】
【００１８】
請求項１に係る考案によれば、合成樹脂製の円盤状を有する上板部材（１）とこれと同径の合成樹脂製の円盤状を有する下板部材（２）とを備え、前記上板部材（１）と下板部材（２）とを重合して、前記下板部材（２）の中央に突出部（５）を形成し、且つ、該突出部（５）の周縁に、前記上板部材（１）と下板部材（２）を熱圧着した周面部（２０）を形成したことにより、フード生地に取り付けると外方向に反り返るように立体的に配置されるので、マスク紐（Ｑ）の掛け外しが行い易くなる効果を有する。
また、下板部材（２）の中央に突出部（５）を形成したことによって、縫着時には、中心位置を容易に把握できるので、フード（Ｆ）の縫着面に対する位置決めを容易とすることができる。
【００１９】
また、本考案は上記考案の構成を前提として、上板部材（１）の中央に微小凹凸面を形成したことから、粘着テープの粘着面との接触面積を低減させることによって、粘着テープを剥がし易くすることができ、当該粘着テープを用いた清掃作業にも適した掛け止体とすることができる。
【００２０】
また、本考案は上記いずれかの考案を前提として、上板部材（１）の中央に、底面視円形輪郭の中心に向かって徐々に深くなる凹部（３）を形成したことによって、下板部材（２）の突出部（５）による縫着時のフード（Ｆ）の縫着面に対する位置決めを容易とする効果に加えて、凹部（３）に親指等を当接させることで、掛け止体自体の中心位置の把握が容易となるから、フード（Ｆ）と掛け止体の双方の位置の把握が容易となり、より正確な位置決めを行うことができる。
【００２１】
また、本考案は上記凹部（３）を有する構成を前提として、凹部（３）の周縁に隆起部（３０）を形成したことにより、掛け止体の位置の把握がより一層容易となるとともに、隆起部（３０）の形成によって凹部の周縁の厚みが増すことで掛け止体がより握りやすくなり、当該掛け止体を誤って落下させ難くなり、作業をより行い易くすることで、更に正確な位置決めに役立つものとすることができる。
【００２２】
また、本考案は、装着者の頭頂部（Ｇ）、後頭部（Ｈ）及び両耳部（Ｏ）を覆うフード生地を有し、マスク（Ｒ）を掛けるための掛け止体を有するフードにおいて、上記いずれかの掛け止体を備え、該掛け止体の突出部（５）の中央をフード生地の両耳部（Ｏ）近傍に取着して、該両耳部と掛け止体の下板部材（２）の周面部（２０）との間に間隙（８）を設けたことから、製造時における上記掛け止体の取付の際の作用によって製造時における位置決め箇所の把握を容易として縫着作業を省力化でき、マスク紐（Ｑ）の掛け外しが行い易い、優れたフードを提供でき、若しくはこれに加えて粘着テープを用いた清掃作業にも適したフードを提供することができる。
【００２３】
また、本考案は、上記フード（Ｆ）について、更にフード生地と掛け止体の取付構造が、当該フード生地と掛け止体の突出部（５）との間に配置される粘着性の仮接着手段と、当該フード生地と掛け止体とを貫通して縫合する縫合糸（９）により構成したことから、上記フード（Ｆ）の作用効果を奏する上に、仮止め時には仮接着手段によって位置決め固定を容易とし、仮止め状態において縫合糸（９）によって十分な強度を有する構成を備える優れたフードを提供することができる。
【図面の簡単な説明】
【００２４】
【図１】本考案の実施例に係る掛け止体における上板部材側を示す底面図である。
【図２】本考案の実施例に係る掛け止体における下板部材側を示す平面図である。
【図３】上板部材と下板部材の重合前の状態を示す構成説明拡大縦断面図である。
【図４】上板部材と下板部材の重合状態を示す構成説明拡大縦断面図である。
【図５】本考案の実施例に係る掛け止体における拡大縦断面図である。
【図６】本考案の実施例に係る掛け止体の突出部に離型紙付き粘着テープを貼着した状態を示す拡大縦断面図である。
【図７】掛け止体の底面図である。
【図８】フードの掛け止体にマスクに取り付けた状態の説明斜視図である。
【図９】フード生地の両側部に掛け止体を取り付けた状態を説明する要部説明図である。
【考案を実施するための形態】
【００２５】
本考案のフード（Ｆ）は、装着者の頭頂部（Ｇ）、後頭部（Ｈ）、両耳部（Ｏ）を覆い、正面側にスナップファスナー（Ｊ）により開閉できる開口部（Ｋ）を設け、開口縁（Ｌ）に伸縮性のある帯（Ｍ）を縫着した構成のフード（Ｆ）であり、フード着用者の首周りから肩に架けて覆うためのケープ布（Ｎ）を取り付け、着用者の耳部（Ｏ）近傍となる当該フード（Ｆ）の両側部（Ｉ）付近に対して、掛け止体（Ｐ）をその突出部（５）に貼着した粘着テープの離型紙（６）を剥がして仮止めし、掛け止体の上板部材（１）の中央の微小凹凸面（１Ａ）の周囲をミシンで縫着して、当該掛け止体（Ｐ）を外方向に反らせてフード（Ｆ）の両耳近辺の縫着面との間に間隙（８）を設けた構成としたものであり、フード生地よりマスク紐（Ｑ）の掛け止体が硬質の合成樹脂で形成されており、外方向に突出して形成されているので、指で探りながらマスク紐（Ｑ）を掛け止め体に掛けることが出来、鏡などを見ながらマスク（Ｒ）を掛ける必要がないフードを実現するものである。マスク紐（Ｑ）の掛け止体は、装着者の両耳に直接マスク紐（Ｑ）をかけることなく、フードを装着した後にその装着状態を崩さないようにマスク（Ｒ）を容易に掛け外しすることが出来るものである。以下に実施例を示す。
【実施例】
【００２６】
本実施例に係る掛け止体Ｐは、図１から図５に示すように、適度の硬度を有する合成樹脂製の円盤状の薄板からなる上板部材１及び下板部材２から構成される。これらはいずれも一定の厚みを有し、表面に微小凹凸面１Ａを形成した同一形状の部材である。
前記上板部材１及び下板部材２の裏面相互を当接させて重合し、エンボス加工及び熱圧着を行う。
当該エンボス加工によって下板部材２側に当該下板部材２と同心小径となる突出部５を形成し、上板部材１に前記突出部と略同じ径で中央に至るほど深くなる凹部３と、該凹部３の周縁に隆起部３０とを形成する。
また上板部材１側の凹部３の周縁から縁部までの範囲を熱圧着することにより、上板部材１と下板部材２を一体とし、且つ、上板部材１の前記凹部３の周縁から縁部までに現わされた微小凹凸面１Ａを潰し、平滑とする。また、凹部３内には、微小凹凸面１Ａが残存する。
そして、上記上板部材１及び下板部材２のエンボス加工及び熱圧着によって、マスク紐Ｑの掛け止体Ｐを形成する。
【００２７】
本実施例に係るフードＦは、装着者の頭頂部Ｇ、後頭部Ｈ及び両耳部Ｏを覆い、正面側にスナップファスナーＪにより開閉できる開口部Ｋを設け、開口縁Ｌに伸縮性のある帯部Ｍを縫着した構成のフードＦであり、前記両側部Ｉには上記掛け止体Ｐを有する。また、フード生地は、装着者の頭頂部Ｇ、後頭部Ｈ、両耳部Ｏを覆う部分においてメッシュ生地などの通気性を有する生地を使用し、開口縁Ｌは伸縮自在のゴム紐を周囲に縫合している。更に、フード着用者の首周りから肩に架けて覆うためのケープ布（Ｎ）を有するものである。本考案の特徴とする前記掛け止体Ｐは以下に示す取付手順でフード生地に取着され構成される。
【００２８】
即ち、図６及び図７に示すように、上記掛け止体Ｐの微小凹凸面１Ａを有する突出部５の表面に離型紙６を有する粘着テープ７を貼着し、前記突出部５の表面の離型紙６を剥がして粘着テープ７側の突出部５を内側にして着用者の両耳部Ｏの近辺となるフードＦの両側部Ｉに仮止する。
上板部材１の中央の微小凹凸面１Ａの周囲に沿ってミシンを用いて縫合糸９で縫着することにより、円盤状の掛け止体ＰがフードＦの両耳側辺から突出して取り付けられる。図８及び図９に示すように、掛け止体ＰがフードＦの両側部の取り付け生地との間に突出部５の周囲が反り返るように縫着されて、掛け止体との間に間隙８が形成される構成となる。この間隙８を設けたことによりフードＦが移動せずにマスク紐Ｑが掛け易くなる。また不用意にマスク紐Ｑが外れることがない。
【００２９】
又、本実施例においては、フード生地よりも硬質となる合成樹脂で掛け止体Ｐが形成されているので、フード生地が柔軟であるにもかかわらず、指で探りながらマスク紐Ｑが掛けることが出来、鏡などを見ながらマスクＲを掛ける必要がない。
【００３０】
また上記実施例によればマスク紐Ｑの掛け止体Ｐの形状を円盤形状としたが、本考案はこれに限定されるものではなく、機能的にマスク紐Ｑを確実に掛けることができるのであれば、平面視多角形や楕円形であってもよく、平面視輪郭の外形は問わない。
【００３１】
また、休憩時などでもマスクＲは容易に取り外すことができ、その場合でもフードＦの装着状態は何ら変わることがないので、再度のマスクＲの装着においても短時間で容易に行うことができ、作業性をも向上させることができる。
【００３２】
また、下板部材２の表面及び上板部材１の表面の中央に微小凹凸面１Ａを形成していることにより、粘着テープ７の粘着面との接触面積を低減させることによって、粘着テープ７を剥がし易くすることができ、当該粘着テープ７を用いた清掃作業にも適した掛け止体とすることができる。
【００３３】
尚、本考案は上記実施例に限定されるものではなく、例えば、掛け止体Ｐは、凹部３、微小凹凸部１Ａ、隆起部３０は常に必要ではなく、適宜一又は二以上の組合せとして選択して本考案の構成とすることができる。
【００３４】
また、上記実施例では、フードＦは、装着者の頭頂部Ｇ、後頭部Ｈ及び両耳部（Ｏ）を覆い、正面側にスナップファスナーＪにより開閉できる開口部Ｋを設け、開口縁Ｌに伸縮性のある帯Ｍを縫着した構成のフードＦとしているが、本考案においてはこれら全てを備える必要はなく、少なくともフードＦとしての一般的な機能を備え、且つ、掛け止体Ｐを取付けるための両側部Ｉを備えていればよい趣旨である。
【符号の説明】
【００３５】
１        上板部材
１Ａ      微小凹凸面
２        下板部材
２０      周面部
３        凹部
３０      隆起部
５        突出部
６        離型紙
７        粘着テープ
８        間隙
９        縫合糸
Ｆ        フード
Ｇ        頭頂部
Ｈ        後頭部
Ｉ        両側部
Ｊ        スナップファスナー
Ｋ        開口部
Ｌ        開口縁
Ｍ        伸縮性のある帯部
Ｎ        ケープ布
Ｏ        耳部
Ｐ        掛け止体
Ｑ        マスク紐
Ｒ        マスク
【図１】
0003184951.tif 000003
【図２】
0003184951.tif 000004
【図３】
0003184951.tif 000005
【図４】
0003184951.tif 000006
【図５】
0003184951.tif 000007
【図６】
0003184951.tif 000008
【図７】
0003184951.tif 000009
【図８】
0003184951.tif 000010
【図９】
0003184951.tif 000011